(57)【要約】【課題】簡単な構造で引掛刃が不用意に外れるのを防止することができる照明装置を提供することにある。【解決手段】照明装置は、光源としてのＬＥＤ素子と、ＬＥＤ素子が実装されるＬＥＤ基板と、ＬＥＤ基板が配されるベース部材と、被取付部材に取り付けるための取付部１７とを備え、ベース部材は取付部１７が嵌合する開口を有し、取付部１７は、周縁側に段差５３を有し、段差５３より内側部分（５５）が開口を塞ぐとともに段差５３より外側部分（５７）が開口の周辺部と当接する状態でベース部材に固定されている。【選択図】図６
2019050217.tif 000002
【特許請求の範囲】
【請求項１】
光源としてのＬＥＤ素子と、
前記ＬＥＤ素子が実装されるＬＥＤ基板と、
前記ＬＥＤ基板が配されるベース部材と、
被取付部材に取り付けるための取付部と
を備え、
前記ベース部材は前記取付部が嵌合する開口を有し、
前記取付部は、周縁側に段差を有し、前記段差より内側部分が前記開口を塞ぐとともに前記段差より外側部分が前記開口の周辺部と当接する状態で前記ベース部材に固定されている
照明装置。
【請求項２】
前記取付部は被取付部材に掛止する一対の引掛刃を有する
請求項１に記載の照明装置。
【請求項３】
前記取付部の前記内側部分は透明な樹脂材料により構成されている
請求項１又は２に記載の照明装置。
【請求項４】
前記取付部は、ボスと当該ボスを貫通するねじ孔とを前記外側部分に有し、
前記ねじ孔に螺合するねじにより前記取付部が前記ベース部材に固定されている
請求項１〜３の何れか１項に記載に照明装置。
【発明の詳細な説明】
【技術分野】
【０００１】
本発明は一対の引掛刃を介して被取付部材に付け外し可能に取り付けられる照明装置に関する。
【背景技術】
【０００２】
従来から天井等に取り付けられる照明装置として、直付け型のシーリングライトや吊下げ型照明装置がある。これらの照明装置は、天井面に設けられた引掛シーリング９０１（図１４参照）や引掛ローゼットの一対の嵌入孔９０３に挿入される一対の引掛刃を有している（例えば、特許文献１）。
特許文献１に記載の照明装置は、引掛ローゼットに接続される一対の引掛刃により受電されて作動する点灯制御回路基板をケースに内蔵したアダプタと、アダプタが孔に通されて係止されアダプタの出力でランプソケットを介してランプを点灯する本体を備えている。アダプタには、ケースの上面に露出され引掛ローゼット下面の円弧孔（嵌入孔９０３）に係止されるように上方に付勢された可動のロックピンを設けるとともに、ロックピンを押し下げる方向に作用する解除操作部をケースの側面に露出しており、点灯制御回路基板の出力コネクタを解除操作部の下部に位置するようにケースの側面に露出し、ソケットに給電するためのコネクタを出力コネクタに接続している。
この構成により、出力コネクタに接続されるコネクタを外さないと、実質的に解除操作部を押し込み操作できないため、通常使用時にアダプタが引掛ローゼットから不用意に外れるおそれがなくなる。
【先行技術文献】
【特許文献】
【０００３】
【特許文献１】特開２００５−２３５４５６号公報
【発明の概要】
【発明が解決しようとする課題】
【０００４】
上記構成では、引掛刃が引掛ローゼットや引掛シーリングから不用意に外れるおそれがなくなるが、構成が複雑であるという課題がある。
本発明は、上記の課題に鑑み、簡単な構造で引掛刃が不用意に外れるのを防止することができる照明装置を提供することにある。
【課題を解決するための手段】
【０００５】
本発明は、光源としてのＬＥＤ素子と、前記ＬＥＤ素子が実装されるＬＥＤ基板と、前記ＬＥＤ基板が配されるベース部材と、被取付部材に取り付けるための取付部とを備え、前記ベース部材は前記取付部が嵌合する開口を有し、前記取付部は、周縁側に段差を有し、前記段差より内側部分が前記開口を塞ぐとともに前記段差より外側部分が前記開口の周辺部と当接する状態で前記ベース部材に固定されている。
【発明の効果】
【０００６】
上記構成によれば、固定爪部を２つ有しているため、引掛刃が不用意に外れるのを防止できる。
【図面の簡単な説明】
【０００７】
【図１】第１の実施形態の照明装置の外観斜視図である。
【図２】第１の実施形態の照明装置の断面図である。
【図３】第１の実施形態の照明装置の分解斜視図である。
【図４】第１の実施形態の照明装置の透光性カバーを外した状態の斜視図である。
【図５】第１の実施形態の装置本体の保護カバーを外した状態を前方から見た図である。
【図６】第１の実施形態に用いられる取付部を後方から見た斜視図である。
【図７】第１の実施形態に用いられる取付部を前方から見た斜視図である。
【図８】第１の実施形態に用いられるロック部材の斜視図であり、（ａ）はロック部材のロック状態における斜視図であり、（ｂ）はロック部材の解除状態における斜視図である。
【図９】第１の実施形態に用いられる板状部材を後方から見た斜視図である。
【図１０】第１の実施形態に用いられる板状部材を後方から見た図である。
【図１１】第２の実施形態に用いられる取付部を後方から見た斜視図である。
【図１２】第２の実施形態に用いられる一方のロック部材の斜視図であり、（ａ）はロック部材のロック状態における斜視図であり、（ｂ）はロック部材の解除状態における斜視図である。
【図１３】第２の実施形態に用いられる他方のロック部材の斜視図であり、（ａ）はロック部材のロック状態における斜視図であり、（ｂ）はロック部材の解除状態における斜視図である。
【図１４】引掛シーリングを前方から見た斜視図である。
【発明を実施するための形態】
【０００８】
＜概要＞
本発明の一態様に係る照明装置は、光源としてのＬＥＤ素子と、前記ＬＥＤ素子が実装されるＬＥＤ基板と、前記ＬＥＤ基板が配されるベース部材と、被取付部材に取り付けるための取付部とを備え、前記ベース部材は前記取付部が嵌合する開口を有し、前記取付部は、周縁側に段差を有し、前記段差より内側部分が前記開口を塞ぐとともに前記段差より外側部分が前記開口の周辺部と当接する状態で前記ベース部材に固定されている。
他の一態様に係る照明装置において、前記取付部は被取付部材に掛止する一対の引掛刃を有する。
他の一態様に係る照明装置において、前記取付部の前記内側部分は透明な樹脂材料により構成されている。
他の一態様に係る照明装置において、前記取付部は、ボスと当該ボスを貫通するねじ孔とを前記外側部分に有し、前記ねじ孔に螺合するねじにより前記取付部が前記ベース部材に固定されている。
明細書に係る照明装置は、被取付部材の一対の嵌入孔に挿抜自在に挿入されて接続端子に掛止する一対の引掛刃と、前記引掛刃の前記嵌入孔への掛止状態を維持するロック手段とを有する照明装置において、前記ロック手段は、前記掛止状態のときに前記嵌入孔へと進出している固定爪部を２つ有する。
明細書に係る照明装置において、１つの前記固定爪部は一つの前記引掛刃に対して設けられている。これにより引掛刃が不用意に外れるのをより一層防止できる。
明細書に係る照明装置において、前記ロック手段は、２以上の操作部の操作により、前記掛止状態が解除される。これによりロック機能の信頼性を向上させることができる。
明細書に係る照明装置において、前記ロック手段は、１つの操作部の操作により、前記掛止状態が解除される。これにより掛止状態の解除を同時に行うことができる。
＜実施形態＞
以下に本発明の一態様である照明装置について図面を参照しながら詳細に説明する。ここでは照明装置の一例としてシーリングライトについて説明する。ここでいう「シーリングライト」は、一対の引掛刃を備える照明装置であって、天井や壁等の取付部材に設けられている引掛シーリング９０１（図１４参照）や引掛ローゼット等の被取付部材に一対の引掛刃が取り付けられて使用する照明装置をいう。
以下では便宜的にシーリングライトは天井に取り付けられ、シーリングライトの照明光は前方（床面側）に向けて照射されるものとして説明する。例えば、天井の被取付部材に取り付けられるシーリングライトとしては、例えば、居間、和室、寝室、子供部屋等の各居室に使用されるものや、廊下、トイレ、玄関等に使用されるもの等がある。また、被取付部材として壁に設けられたものがあり、このような照明装置にも本発明を適用できる。なお、照明装置から光が出射される側を、表側、前側とする。
【０００９】
被取付部材としては、丸型引掛シーリング、角型引掛シーリング、丸型フル引掛シーリング、フル丸型ローゼット等がある。被取付部材はシーリングライトを取り付ける機能だけなく、一対の引掛刃に商用電力を供給する機能も有する。
【００１０】
１．シーリングライトの全体構成
シーリングライト１は、図１から図３、特に図２に示すように、装置本体３と、装置本体３に着脱自在に装着される透光性カバー５とで構成されている。シーリングライト１は、装置本体３を被取付部材２に取り付けた後、透光性カバー５が装置本体３に装着することで、例えば、天井面等の取付面４に取り付けられる。
ここでは被取付部材２として例えば図１４に示すような引掛シーリング９０１が利用されている。引掛シーリング９０１（被取付部材２）はシーリングライト１の引掛刃用の一対の嵌入孔９０３を前面（天井に設置された場合の床面側）に有する。一対の嵌入孔９０３は一対の引掛刃４７の距離を直径とする仮想円に沿って円弧状に設けられている。
引掛シーリング９０１は、シーリングライト１の引掛刃４７を嵌入孔９０３に挿入して仮想円の中心を通る中心軸廻りに回転させた際に、引掛刃４７と電気的に接続する接続端子を内部に有する。なお、接続端子は商用電源と接続されている。
【００１１】
２．装置本体
装置本体３は、図２及び図３に示すように、複数のＬＥＤ２１から構成される光源部１１、光源部１１を点灯させるための回路部１３、光源部１１及び回路部１３を搭載するための搭載部１５、自装置を被取付部材２に取り付けるための取付部１７を有している。なお、取付部１７は一対の引掛刃４７を有している。
装置本体３は少なくとも光源部１１を保護する保護部１９を有してもよい。本実施形態の保護部１９は光源部１１と回路部１３とを保護する。保護部１９は透光性カバー５を着脱自在に装着するための装着機能も有する。
以下、各部について説明する。
【００１２】
（１）光源部
光源部１１は、図３及び図５に示すように、複数のＬＥＤ２１と、複数のＬＥＤ２１を実装するための複数の実装基板２３とを有する。複数のＬＥＤ２１は、光色が同じ一種類（例えば、白色、昼白色、昼光色、電球色等）であってもよいし、光色が異なる複数種類であってもよい。実装基板２３はＬＥＤ２１を複数個実装する。ＬＥＤ２１の実装位置は、規則性があってもよいし、規則性がなくてもよい。規則性の形状には、直線状（１列、複数列を含む。）、千鳥状、円弧状（１列、複数列を含む。）等がある。
実装基板２３は複数のＬＥＤを所定の接続形態で接続するための配線パターンを有する。所定の接続形態は、直列接続、並列接続、直並列接続等である。なお、実装基板は１枚で構成してもよい。
【００１３】
（２）回路部
回路部１３は、図３及び図５に示すように、複数の電子部品２５，２７と、複数の電子部品２５，２７を実装するための回路基板２９，３１とを有する。なお、ここでは便宜上各回路基板２９，３１につき１つの電子部品に符号「２５」、「２７」を付している。複数の電子部品２５，２７により、例えば、整流回路、平滑回路、電圧変換回路が構成される。なお、図３では電子部品の一部が記載されている。
ここでは回路基板２９，３１は２個ある。例えば、１つ目の回路基板２９に点灯回路を構成する電子部品２５が実装され、２つ目の回路基板３１に調色回路や調光回路を構成する電子部品２７が実装されている。
【００１４】
（３）搭載部
搭載部１５は、図３及び図５に示すように、ベース部材３５により構成される。ベース部材３５は中央に開口３７を有する板状をしている。なお、開口３７には取付部１７が嵌合する。ベース部材３５は、床側から見たときに外観形状が円形状をしているが、例えば外観形状が正方形、長方形等の他の形状であってもよい。
ベース部材３５は、図３に示すように、光源部１１を搭載する光源部搭載領域４１と、回路部１３を搭載する回路部搭載領域４３とを表側の面に有している。ここでは光源部搭載領域４１が開口３７の周りに存在し、その外周側に回路部搭載領域４３が存在する。なお、光源部搭載領域４１と回路部搭載領域４３との位置関係は上記以外であってもよい。また、回路部搭載領域は裏面に設けられてもよい。
【００１５】
光源部１１は、実装基板２３が光源部搭載領域４１に固定されることで、ベース部材３５に搭載される。なお、実装基板２３は、例えば、螺合手段、係止手段、固着手段等によりベース部材３５に固定されている。実装基板２３が光源部搭載領域４１に搭載されることで、複数のＬＥＤ２１が開口３７を囲む環状に配される。なお、実装基板は、複数のＬＥＤ２１を表側から見たときに全体としてマトリクス状（１行０列も含む）に位置するように、ベース部材に搭載されてもよい。
回路部１３は、回路基板２９，３１が回路部搭載領域４３に固定されることで、ベース部材３５に搭載される。なお、回路基板２９，３１は、例えば、螺合手段、係止手段、固着手段等によりベース部材３５に固定されている。
回路基板２９，３１は円弧状をし、電子部品２５，２７が円弧に沿って実装されている。これにより、回路基板２９，３１の幅（ベース部材の径方向の寸法である。）を小さくできる。
【００１６】
（４）取付部
取付部１７は、図３、図５及び図６に示すように、ベース部材３５の開口３７を塞ぎ且つ開口３７の周辺部に固定される板状部材４５と、被取付部材２の一対の嵌入孔９０３に挿入されて接続端子に掛止する一対の引掛刃４７と、一対の引掛刃４７の掛止状態をロック（維持）するロック手段５１とを有している。なお、ここでの「掛止」は、一対の引掛刃４７が接続端子に引掛って固定されることをいう。
【００１７】
板状部材４５はベース部材３５の開口３７に対応した形状をしている。ここでは、表側から見たとき（図６参照）に円形状をしている。板状部材４５は周縁側に段差５３を有する。板状部材４５における段差５３よりも内側の中央部５５がベース部材３５の開口３７を塞ぐ。板状部材４５における段差５３よりも外側の外周部５７がベース部材３５の開口３７の周辺部５９に表側から当接する。
板状部材４５の少なくとも中央部５５は表側から裏側が視認可能な絶縁性材料により構成されている。ここでは板状部材４５は透明な絶縁性樹脂材料により構成されている。これにより引掛刃４７の嵌入孔９０３への挿入作業を視認できるようになる。また、板状部材４５が絶縁性樹脂材料により構成されているため、商用電源と取付部１７との絶縁性や一対の引掛刃４７間での絶縁性を確保できる。
外周部５７は、図７に示すように、表側へと突出するボス６１を貫通するねじ孔６３を利用してベース部材３５に固定されている。ここでは、板状部材４５は、図１及び図４に示すように、引掛刃４７の嵌入孔９０３への挿入・嵌合を補助するガイド部材６５と一緒にベース部材固定されている。
【００１８】
板状部材４５は、図７に示すように、表側から見たときに、外周縁と外周縁よりも内側部位とに形成された２つのリブ６７，６９と、リブ６７とリブ６９との間に設けられた保護カバー固定用のボス７１とを有している。なお、ボス７１にはねじ孔７３が形成されている。
板状部材４５は、図６に示すように、一対の引掛刃４７に電気的に接続する配線が配される配線溝７５を有している。配線溝７５は、裏側から表側に膨出するように形成されている。なお、配線溝７５は径方向に延伸している。
板状部材４５は、図７に示すように、引掛刃４７を被取付部材２に取り付ける際に作業者に把持される（把持される予定の）把持部７７を有している。把持部７７は表側へと矩形状に突出する凸部７９により構成されている。凸部７９の内部は、引掛刃４７を固定したり、ロック手段５１を収容したりするのに利用される。引掛刃４７及びロック手段５１については、後述する。
【００１９】
（５）保護部
保護部１９は保護カバー８１により構成されている。保護カバー８１は、円の外側に位置する回転軸の廻りに前記円を回転させて形成されるトーラス形状を、前記円の中心軸を含む面で切断した半トーラス形状をしている。なお、円の中心軸は回転させたときの円の中心を結んだ軸である。
保護カバー８１は２つのカバー部材８１Ａ，８１Ｂから構成されている。なお、図３では、一体に組み合わされた状態が示されている。
カバー部材８１Ａ，８１Ｂは透光性の樹脂材料により構成されている。カバー部材８１Ａ，８１Ｂにおける電子部品２５，２７を覆う部位には拡散加工（シボ加工）が施されている。
【００２０】
カバー部材８１Ａ，８１Ｂは中央の半円状の切欠き８３の周辺部に平坦部８５を有している。平坦部８５は取付部１７の板状部材４５に固定される。固定はねじ孔７３に螺合するねじ部材により行われる。
カバー部材８１Ａ，８１Ｂの外周部は外側に張り出する外鍔部８７を有している。外鍔部８７はベース部材３５に固定される。固定は例えばねじ部材により行われる。外鍔部８７は周方向に間隔をおいて複数個（４個）設けられている。周方向に隣接する外鍔部８７間には透光性カバー５を取り付けるための透光性カバー取付手段８９が設けられている。
【００２１】
３．透光性カバー
透光性カバー５は、図２及び図３に示すように、装置本体３に取り付けられる後カバー９１と、後カバー９１に取り付けられる前カバー９３とを有する。後カバー９１及び前カバー９３は透光性樹脂材料により構成されている。透光性材料樹脂には拡散粒子（例えば、シリコーン粒子）が混入されており、透光性カバー５は乳白色カバーである。
【００２２】
（１）後カバー
後カバー９１は、図３に示すように、前側拡がりの筒部９５と、筒部９５の後端部に設けられた装置本体取付手段９７と、筒部９５の前端部に設けられた前カバー取付手段９９とを有する。
装置本体取付手段９７は、図３に示すように、筒部９５の後端部において周方向に間隔を置いて且つ軸心に向かって張り出す内鍔部９７ａにより構成される。後カバー９１を装置本体３に取り付ける際に、内鍔部９７ａはカバー部材８１Ａ，８１Ｂの透光性カバー取付手段８９である係合片８９ａ（図４参照）に係合する。
前カバー取付手段９９は、図３に示すように、筒部９５の前部の内周面に設けられ且つ周方向に間隔をおいて形成された溝部１０１と、周方向に隣接する溝部１０１間に設けられた係合凹部１０３とにより構成される。係合凹部１０３は前カバー９３の係合突起１１１と係合する。
【００２３】
（２）前カバー
前カバー９３は、前側から見たときに円形状をし且つ全体としてドーム状をするドーム部１０７と、ドーム部１０７の開口側に設けられた筒部１０９と、筒部１０９に設けられた後カバー取付手段１０５とを有する。後カバー取付手段１０５は、筒部９５の外周から周方向に間隔をおいて且つ外方に突出する係合突起１１１により構成される。
【００２４】
４．取付部
（１）引掛刃
引掛刃４７は、図６に示すように、板状の引掛ベース１２１の角部分に立設状態で設けられている。引掛ベース１２１は引掛刃４７の先端が板状部材４５の裏面から張り出すように板状部材４５の凸部７９の内部に取り付けられている。なお、取付については、後述する。
（２）ロック手段
ロック手段５１は、図６及び図７に示すように、一対の引掛刃４７が被取付部材２の嵌入孔９０３に挿入された状態で取付部１７が取付方向に回転されると嵌入孔９０３に進出して出状態となる一対の固定爪部１３１と、各固定爪部１３１の出状態を解除するために操作する２個の操作部１３３とを有する。
なお、固定爪部１３１の出状態は嵌入孔９０３に係合する状態あるいは嵌入孔９０３に挿入する状態であり、取付部１７が取外方向に回転するのを規制する。つまり、引掛刃４７の掛止状態或は挿入状態をロックしている。
また、取付方向は前方から被取付部材２を見たときの円弧状をする嵌入孔９０３の奥側に引掛刃４７を進行させる回転方向であり、取外方向は取付方向と反対方向である。
【００２５】
一例としてのロック手段５１は、図６〜図８に示すように、被取付部材２の嵌入孔９０３に対して挿抜方向に出没自在に配された固定ベース部１３５と、ロック解除の際に操作され且つその操作方向に移動可能に配されたロックベース部１３７と、固定ベース部１３５とロックベース部１３７とを連結するばね部１３９とを有する２個のロック部材１４１が板状部材４５の凸部７９の内部に収容されて構成される。
図９及び図１０に示すように、凸部７９の内部の空間は引掛ベース１２１やロック手段５１の収容空間８０として機能する。収容空間８０の引き出し線は凹部（凸部７９を裏側から見た状態である。）の周壁と区別するために先端を矢印としている。
ロック解除操作の際に図８の（ａ）に示す状態において操作部１３３を押入させると、図８の（ｂ）に示すようにロックベース部１３７が固定ベース部１３５に近づくように移動する（操作される）。これにより、図８の（ｂ）に示すようにばね部１３９は直立状態となり、固定ベース部１３５が没入する。なお、固定ベース部１３５の挿抜方向の挿方向先端部が固定爪部１３１であり、ロックベース部１３７の外側部が操作部１３３である。また、各固定爪部１３１の没入は、各ロック部材１４１の操作部１３３の操作により行われる。
【００２６】
（３）収容空間
収容空間８０は、一対の引掛刃４７の基部、一対の引掛ベース１２１及びロック手段５１を収容する。一対の引掛刃４７は同じ構成であり、ロック手段５１を構成する２つのロック部材１４１も同じ構成である。このため、収容空間８０は、図１０に示すように、後方から見たときにその中心を基準にして対称な形状をしている。従って、ここでは収容空間８０の片方について説明する。
収容空間８０は、図１０に示すように、後方から見たときに全体形状として矩形状をしている。ロック部材１４１を収容するロック用空間１４３は短辺に沿って存在している。凸部（凹部）７９は短辺から他方の短辺側にロック部材１４１の幅の分だけ移った部位にボス１４５及びリブ１４６を有している。ボス１４５の後面は、図９に示すように、収容空間８０の開口よりも内側に位置する。
【００２７】
ボス１４５にはねじ穴１４７が形成され、引掛ベース１２１がねじ部材により固定される。この状態では、ロック用空間１４３に配されたロック部材１４１は固定爪部１３１を除いて引掛ベース１２１により塞がれる（覆われる）ようになる。これにより、ロック部材１４１がロック用空間１４３から外れるのを防止される。
収容空間８０におけるロック用空間１４３の長辺には操作開口１４９が形成され、図７に示すように操作開口１４９からロック部材１４１の操作部１３３が外部へと露出する。
なお、配線溝７５は、図９及び図１０に示すように、収容空間８０における長辺部分の略中央から径方向に延伸するように板状部材４５に設けられている。
収容空間８０の中央部分は引掛ベース１２１に接続された配線が収容される。
【００２８】
＜第２の実施形態＞
第１の実施形態の取付部１７は２つのロック部材１４１を有し、各ロック部材１４１は固定爪部１３１と操作部１３３とを対で有している。しかしながら、固定部は２つの固定爪部を有していればよく、１つの操作部の操作によりロック状態を解除するようにしてもよい。
第２の実施形態では２つの固定爪部のロック解除操作を１つの操作部で行うことができる固定部について説明する。ここでは、固定部におけるロック手段に関係する部分について説明する。他の部分は第１の実施形態と同じであるため説明を省略する。
固定部２０１は、図１１に示すように、板状部材２０３と、被取付部材２の一対の嵌入孔９０３に嵌合する一対の引掛刃４７と、一対の引掛刃４７の各嵌入孔９０３への嵌合状態をロックするロック手段２０５とを有している。
【００２９】
ロック手段２０５は、一対の固定爪部２０７，２０９と、一対の固定爪部２０７，２０９の出状態を解除するために操作する１つの操作部１３３とを有する。
一例としてのロック手段２０５は、図１１〜図１３に示すように、固定爪部２０７を有するロック部材２１１と、固定爪部２０９を有するロック部材２１３と、ロック部材２１１とロック部材２１３とを連結する連結部材２１５とを有する。連結部材２１５は固定爪部２０７の出没動作に固定爪部２０９が連動するように連結する。
【００３０】
ロック部材２１１は、図１２に示すように、第１の実施形態に係るロック部材１４１に対して連結部材２１５を取り付ける取付部２１７を有している。なお、ロック部材２１１のロックベース部１３７の外側部が１つの操作部１３３に相当する。また、ロック部材２１１は第１の実施形態のロック部材１４１の収容空間８０と同じ構成の空間に収容される。
ロック部材２１１は、第１の実施形態と同様に、ロック解除操作の際に図１２の（ａ）に示す状態において操作部１３３押入させると、図１２の（ｂ）に示すようにロックベース部１３７が固定ベース部１３５に近づいてばね部１３９は直立状態となり、固定ベース部１３５が没入する。
連結部材２１５はワイヤである。ワイヤの一端には例えば円盤状の止め具（図示省略）が設けられている。取付部２１７は止め具の一部又は全部が入る大きさの凹みにより構成される。止め具は凸部７９の内面とロック部材１４１との隙間よりも大きくないように構成されている。
ロック部材２１３は、図１３に示すように、第１の実施形態に係るロック部材１４１と同様に、固定ベース部２２１と、ロック解除の際に移動可能に配されたロックベース部２２３と、固定ベース部２２１とロックベース部２２３とを連結するばね部２２５とを有する。
【００３１】
ロック部材２１３は、図１３に示すように、第１の実施形態に係るロック部材１４１に対して連結部材２１５を取り付ける取付部２２７を有している。なお、ロック部材２１３のロックベース部２２３の外側部には操作部が設けられていない。
連結部材２１５の一例であるワイヤの他端には例えば円盤状の止め具が設けられている。取付部２２７はワイヤと平行な姿勢の止め具の通行を許容する大きさの貫通孔により構成される。ワイヤの他端の止め具は貫通孔を通過後にワイヤと直交する姿勢にすることで、矩形状の貫通孔周辺に係止する。
ロック部材２１３は第１の実施形態のロック部材１４１の収容空間８０に対して操作部用の操作開口１４９を有しないロック用空間に配され収容される。
ロック解除するためにロック部材２１１の操作部１３３が操作されると、ロック部材２１１の固定ベース部１３５が没入して連結部材２１５が引っ張られる。これにより、図１３の（ａ）に示す状態のロックベース部２２３が固定ベース部２２１に近づく（図１３の（ｂ）参照）。これにより図１３の（ｂ）に示すようにばね部２２５は直立状態となり、固定ベース部２２１が没入する。
つまり、上記構成のロック手段２０５において、操作部１３３を操作するとロック部材２１１の固定ベース部２２１が下降する。これにより、連結部材２１５より連結されたロック部材２１３のロックベース部２２３が可動して固定爪部２０９も没入する。
【００３２】
＜その他＞
１．一対の固定爪部
（１）構造
一対の固定爪部１３１，１３１、２０７，２０９は被取付部材２の一対の嵌入孔９０３に対してそれぞれロックするように構成されている。つまり、各固定爪部１３１，１３１、２０７，２０９は、各引掛刃４７，４７に対して設けられている。これにより、ロック機能の信頼性を向上させることができる。
（２）位置
一対の固定爪部１３１，１３１、２０７，２０９は、当該一対の固定爪部１３１，１３１、２０７，２０９の頂点を結ぶ仮想線が一対の引掛刃４７，４７の同じ部位を結ぶ仮想線の中点を通るように配されている。これにより、固定爪部１３１，１３１、２０７，２０９の嵌入孔９０３への挿入とロック解除とが略同期に行われる。
【００３３】
２．操作部
（１）個数
第１の実施形態の一対の固定爪部１３１は２つの操作部１３３によりロック状態の解除が行われる。第２の実施形態の一対の固定爪部２０７，２０９は、１つの操作部１３３により解除が行われる。
操作性の観点からは１つの操作部でロック状態を解除できる方が好ましい。一方、信頼性の観点からは２つの操作部でロック状態を解除できる方が好ましい。
（２）位置
第１及び第２の実施形態の操作部１３３は凸部７９の長辺に相当する側壁において短辺側に設けられている。しかしながら、操作部は長辺に相当する側壁の略中央に設けられてもよいし、短辺に相当する側壁に設けられてもよい。
（３）構造
第１及び第２の実施形態では、ロック部材を利用したが、別の構造でロック手段を構成してもよい。例えば、出没自在に配された固定爪部と、出状態を維持するバネ部材と、スライド自在に配された操作部と、操作部をスライドさせることで、固定爪部を没状態に引張るワイヤとによりロック手段を構成してもよい。また、ワイヤの代わりに、中間部位で回転自在に支持された回転体の一端に操作部を、他端に固定爪部をそれぞれ連結するような構造であってもよい。
【００３４】
３．照明装置
実施形態では、光源としてＬＥＤを用いているが、従来から存在する蛍光灯を利用する照明装置であってもよいし、有機ＥＬ素子を用いた照明装置であってもよい。
【符号の説明】
【００３５】
１    シーリングライト（照明装置）
２    被取付部材
４７    引掛刃
５１    ロック手段
１３１    固定爪部
１３３    操作部
【図１】
2019050217.tif 000003
【図２】
2019050217.tif 000004
【図３】
2019050217.tif 000005
【図４】
2019050217.tif 000006
【図５】
2019050217.tif 000007
【図６】
2019050217.tif 000008
【図７】
2019050217.tif 000009
【図８】
2019050217.tif 000010
【図９】
2019050217.tif 000011
【図１０】
2019050217.tif 000012
【図１１】
2019050217.tif 000013
【図１２】
2019050217.tif 000014
【図１３】
2019050217.tif 000015
【図１４】
2019050217.tif 000016
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
光源としてのＬＥＤ素子と、
前記ＬＥＤ素子が実装されるＬＥＤ基板と、
前記ＬＥＤ基板が配されるベース部材と、
被取付部材に取り付けるための取付部と
を備え、
前記ベース部材は前記取付部が嵌合する開口を有し、
前記取付部は、周縁側に段差を有し、前記段差より内側部分が前記開口を塞ぐとともに前記段差より外側部分が前記開口の周辺部と当接する状態で前記ベース部材に固定され、
前記取付部は、ボスと当該ボスを貫通するねじ孔とを前記外側部分に有し、
前記ねじ孔に螺合するねじにより前記取付部が前記ベース部材に固定されている
照明装置。
【請求項２】
前記取付部は被取付部材に掛止する一対の引掛刃を有する
請求項１に記載の照明装置。
【請求項３】
前記取付部の前記内側部分は透明な樹脂材料により構成されている
請求項１又は２に記載の照明装置。